(57)【要約】【課題】  ブロック相互を結合する組立て作業が容易となるとともに、強固な結合が得られる組合せブロック及びコーナーブロックを提供する。【解決手段】  矩形立方体を基本形体として、他のブロックと組み合わせる周端面において、一の隣接両端面に、凹溝をその両端面の中央部に沿うＬ字形に連続して設け、他の隣接両端面には、凹溝に嵌入し得る形状の凸条をその両端面の中央部に沿うＬ字形に連続して突設し、Ｌ字形の縦横凹溝がそれぞれ両端で開口され、Ｌ字形の縦横凸条が凹溝の開口では欠除して形成されたことを特徴とする。【選択図】    図１
2005171648.tif 000002
【特許請求の範囲】
【請求項１】
矩形立方体を基本形体として、他のブロックと組み合わせる周端面において、一の隣接両端面に、凹溝をその両端面の中央部に沿うＬ字形に連続して設け、他の隣接両端面には、凹溝に嵌入し得る形状の凸条をその両端面の中央部に沿うＬ字形に連続して突設し、Ｌ字形の縦横凹溝がそれぞれ両端で開口され、Ｌ字形の縦横凸条が凹溝の開口では欠除して形成されたことを特徴とする組合せブロック。
【請求項２】
請求項１に記載の組合せブロックにより構築する工作物が直角の隅角を有する場合において、交差する両列のうちの一列の端に直列させ、他列と直交させるコーナーブロックであって、組合せブロックと同一の矩形の基本形体における周端面に、前記一列側の組合せブロックと組み合わせる凹溝および凸条を有し、且つ、矩形の基本形体の一端の側面に、前記他列の組合せブロックの凸条または凹溝と嵌まり合う凹溝または凸条を、直接または連結幅片を介して設けたことを特徴とするコーナーブロック。
【請求項３】
矩形の基本形体の一面を凸面等の化粧面に形成したことを特徴とする請求項１または２記載の組合せブロック。
【発明の詳細な説明】
【技術分野】
【０００１】
この発明は、形状的に相互に結合させることにより工作物を組み立て、或いはのり面等として組み立てることのできる組合せブロック及びその構築の隅角に用いるコーナーブロックに関する。
【背景技術】
【０００２】
壁等の構築に用いられるブロックは、一般的に、単に矩形の立方体の場合もあるが、矩形立法体を基本形体として凹凸形状を付加して結合を強化するものが多用される。例えば、塀の構築に多用されるコンクリートブロックは、３個の縦空洞を有する他、両側面に凹溝を設けたもので、左右に付き合う両ブロックの結合においては、口合わせとなる両凹溝の間にモルタルが詰め込まれる。しかし、これでは、相互に直接の結合がなく、モルタルだけでは強度的安定性に信頼がおけない。
【０００３】
そこで、例えば、周端面に相互に嵌合し得る突起と凹部とを設ける場合もあるが、このようなブロックでは、構築する組立て作業において、突起と凹部とを嵌合するには、突起の突き出る方向、つまり向かい合わせから操作を始めることになり、嵌める体勢が制約されるため、作業が困難となるという問題があった。
【０００４】
また、護岸等ののり面を作るための張りブロックとしても、地面に食い込ませる台形の突部を下面に設けたものが使用されるが、この場合も、相互の直接の結合がないので、特許文献１に示すように、周囲に隣接ブロックと係合する段差を設けた提案がなされる。しかし、これでは安定した結合が得られないという問題があった。
【特許文献１】特開平０６−３４１１２５
【発明の開示】
【発明が解決しようとする課題】
【０００５】
この発明は、上記のような実情に鑑みて、ブロック相互を結合する組立て作業が容易となるとともに、強固な結合が得られる組合せブロック及びコーナーブロックを提供することを課題とした。
【課題を解決するための手段】
【０００６】
上記の目的を達成するために、第一発明は、矩形立方体を基本形体として、他のブロックと組み合わせる周端面において、一の隣接両端面に、凹溝をその両端面の中央部に沿うＬ字形に連続して設け、他の隣接両端面には、凹溝に嵌入し得る形状の凸条をその両端面の中央部に沿うＬ字形に連続して突設し、Ｌ字形の縦横凹溝がそれぞれ両端で開口され、Ｌ字形の縦横凸条が凹溝の開口では欠除して形成されたことを特徴とする組合せブロックを提供するものである。
【０００７】
組合せブロックを上記のように構成したから、これを縦横に配列しながら組み合わせるときには、凹溝と凸条とを向かい合わせた体勢から嵌め合わせ得ることはもちろん、凹溝の端の開口から凹溝に沿って横に凸条を差し込むこともでき、また、その中間体勢から嵌め込みに臨むこともできる。つまり、嵌め込む体勢が向かい合わせに制約されることはない。しかも、４辺で凹溝と凸条とが嵌め込みとなる非常に安定した組立て状態が得られる。
【０００８】
また、第２発明は、請求項１に記載の組合せブロックにより構築する工作物が直角の隅角を有する場合において、交差する両列のうちの一列の端に直列させ、他列と直交させるコーナーブロックであって、組合せブロックと同一の矩形の基本形体における周端面に、前記一列側の組合せブロックと組み合わせる凹溝および凸条を有し、且つ、矩形の基本形体の一端の側面に、前記他列の組合せブロックの凸条または凹溝と嵌まり合う凹溝または凸条を、直接または連結幅片を介して設けたことを特徴とするコーナーブロックを提供する。
【０００９】
コーナーブロックを上記のように構成したから、構築の隅角において一列の組合せブロックに組み合わせると、他列に向かって凹溝または凸条が向かっているので、それに他列の凸条または凹溝を差し合わせることによって、両列を一体強固に連結することができる。
【発明の効果】
【００１０】
以上説明したように、この発明の組合せブロック及びコーナーブロックによれば、ブロックを組み合わせるときに、凹溝と凸条とを嵌めるときの体勢が一方向に制約されないので、組立て作業が容易であり、そのため、凹溝と凸条との嵌まりを深くすることが可能であり、そのことによっても非常に強力な結合状態が得られ、また、４辺での強力な結合が得られるので、塀や壁の構築、のり面の作り等において、その作業能率を高め得るとともに、安定した強力な工作物とすることができ、さらに、コーナーブロックを用いると、直交する両列を強固に連結することができるという優れた効果がある。
【発明を実施するための最良の形態】
【００１１】
図面は一実施の形態を示したもので、その組合せブロックＢは、矩形の立方体を基本形体として、厚み中央部において、下端面に横凹溝１を一側端面に縦凹溝２をそれぞれ設け、また、上端面に横凸条３を他側端面に縦凸条４をそれぞれ設けてある。材質的には強度を有すれば特に制限されないが、コンクリートやモルタルで成形し、或いはプラスチックで成形するのに適している。また、地球に優しく成形素材にプラスチックの廃材を利用することもできる。
【００１２】
横凹溝１と縦凹溝２とはそれぞれ両端が開口し、一端でＬ字形で相互に交差している。また、横凸条３と縦凸条４も相互にＬ字形に交差し、凹溝１，２の開口６の部分では凸条３，４が欠除している。そして、凸条３，４はブロックＢの厚みの３分の１程度において板厚が突出しているように形成され、凹溝１，２に深く嵌合するように相互に形成される。このように窮屈かつ深い嵌まり形状であっても、容易に結合できる点がこの発明の特徴である。
【００１３】
凹溝１，２と凸条３，４とは、原則として互いにやゝ密に嵌合する寸法に形成される。したがって、誤差の生じやすいコンクリートや煉瓦作りであるときには、寸法的に余裕をもって成形することが望ましい。しかし、モルタル等の詰め物によって隙間を埋める組み立て方にする場合のように、隙間ができる余裕のある嵌まり具合にすることもある。
【００１４】
図示の場合、凹溝１，２と凸条３，４とは寸法的に同じに成形した場合を示している。したがって、凹溝１，２と凸条３，４とを完全に嵌め合わせると、ブロックＢとブロックＢとの間には間隔（目地幅）ができないが、（図４〜図６）凹溝１，２の突出寸法を突条３，４の突出寸法よりもやゝ少なくして目地幅が差し込み操作だけで一定に生じるようにしても良い。
【００１５】
図１において、組立てる要領で、矢印Ｐ，Ｐが凹溝１，２と凸条３，４とを互いに向かい合うようにして差し合う場合（同図の配置状態）を示し、矢印Ｑ，Ｑが凹溝１，２の端口６から凸条３，４を差し込む場合（配置状態を省略）を示している。この矢印ＰとＱとは相互に直角方向の関係にあるが、当然のことながら、その中間的な位置合わせにおいても凹溝１，２と凸条３，４とを差し合わせることができる。しがたって、壁やのり面としての組立てにおいて、組合せ操作が自由となり極めて容易になる。
【００１６】
図４〜図６は、壁や布基礎のように縦に積み上げる場合を示したものである。張りブロックとしてのり面を作る場合には組み方向が平面や斜面となるが、このような違いはあっても同様の組立て方となる。ブロックの配列は、図４に示すように、縦列について左右交互にずれる配列にする場合と、図示は省略するが直列の配列にする場合とがある。直列の配列であっても、縦横の目地８．９で縦凹溝２と縦凸条４とが直接組み合うために非常に強力な結合関係を保持する。
【００１７】
ブロック塀の場合であると、上端に被せる傘ブロックＳについては、塀の上端の横凸条３に嵌まる凹溝を形成したものを使用する。また、布基礎の場合やのり面の縁においては、縁に凸条３，４が露出していると不都合となるので、凹溝１，２または凸条３，４のいずれかが欠除する別形体のブロックを使用することが望ましい。図４において、Ｔが塀等の端を合わせる半ブロックであって、これには凹溝が欠除している。
【００１８】
なお、のり面を作るブロックとしては、図示のものよりも薄手に形成することが望ましい。また、このような張りブロックには、上面に広く凹部を設けたり、水抜き穴を設けたりすることもある。
【００１９】
図７ないし図９は、塀等を直角に交差して構築する場合に、その交差箇所に用いるコーナーブロックＢａを示したもので、そのコーナーブロックＢａは、前記の実施形態におけると同じ形態の組合せブロックＢと同様に、矩形の立方体を基本形体としたもので、下端面に横凹溝１が形成され、上端面と一側端面にＬ字形に連続して横凸条３と縦凸条４が突設されるが、他側端面において縦凹溝（２）が欠除しており、その代わりに、その他側端面に面一となる直角方向に連結幅片１２を突設し、その連結幅片１２の中央に縦凹溝２ａが形成される。
【００２０】
連結幅片１２は、組合せブロックＢの幅と同一幅であって、縦凹溝２ａの深さと同一寸法の突出長さに形成される。図９が塀等の壁を構築した工作物を示したもので、一列の端にコーナーブロックＢａを組合せ、直交する列の組合せブロックＢをその連結幅片１２に突き合わせて、縦凹溝２ａに縦凸条４が差し込まれる。なお、コーナーブロックＢａを図４の組合せブロックＴと同じく半ブロックとすることもある。
【００２１】
図１０ないし図１１は、第１発明に係る他の実施形態を示した組合せブロックＢであって、矩形の基本形体の一面を凸面１５に形成したもので、その他については同様である。また、第２発明のコーナーブロックＢａにおいても同様にその一面に凸面１５等の化粧面を形成することもある（図８）。
【００２２】
なお、以上の組合せブロックＢやコーナーブロックＢａの形状と同一または類似形状において、ミニチュアーの組合せブロックやコーナーブロックを木やプラスチックで作り、子供用の玩具（積木）として提供することができる。
【図面の簡単な説明】
【００２３】
【図１】第一発明の一実施形態の組合せブロックを複数を組合せるときの体勢において示す斜視図である。
【図２】同組合せブロックの正面図（または平面図）である。
【図３】同組合せブロックの側面図である。
【図４】同組合せブロックの使用状態を示す工作物の正面図（または平面図）である。
【図５】図４のＸ−Ｘ線矢視の断面図である。
【図６】Ｙ−Ｙ線矢視の断面図である。
【図７】第２発明の一実施形態を示すコーナーブロックの正面図である。
【図８】同コーナーブロックの側面図である。
【図９】同コーナーブロックの使用状態を示す塀等の工作物の平面図である。
【図１０】第１発明の他の実施形態を示す組合せブロックの正面図である。
【図１１】同組合せブロックの側面図である。
【図１２】同組合せブロックの使用状態を示す塀等の工作物の平面図である。
【符号の説明】
【００２４】
Ｂ  組合せブロック
Ｂａ  コーナーブロック
１  横凹溝
２，２ａ  縦凹溝
３  横凸条
４  縦凸条
６  開口
１２  連結幅片
１５  凸面
【図１】
2005171648.tif 000003
【図２】
2005171648.tif 000004
【図３】
2005171648.tif 000005
【図４】
2005171648.tif 000006
【図５】
2005171648.tif 000007
【図６】
2005171648.tif 000008
【図７】
2005171648.tif 000009
【図８】
2005171648.tif 000010
【図９】
2005171648.tif 000011
【図１０】
2005171648.tif 000012
【図１１】
2005171648.tif 000013
【図１２】
2005171648.tif 000014